(57)【特許請求の範囲】
【請求項１】
商品の上下端部をそれぞれ支持するための手段を設けた上側及び下側立体成形品と、前記上側及び下側立体成形品を巻込み支持する上側及び下側巻込み部及び前記上側及び下側巻込み部を互いに連結する側面板を有する一体に形成した紙材からなる結束具と、前記結束具を収容する透明ケースとからなり、前記結束具の前記各巻き込み部は、前記側面板に連結し前記成型品の底面とほぼ等しい大きさの第１の面（２４、２５）と、該第１の面の他縁端に連結し前記成型品の側面に沿った第２の面（２６、２７）と、該第２の面の他縁端に連結し前記第１の面に等しい大きさであって前記商品を受け入れる開口を有する第３の面（２８、２９）と、該第３の面の他縁端に連結し前記成型品の側面に沿った第４の面（３０、３１）と、前記第４の面の他縁端に設けた差し込みフラップ（３２、３３）とを有し、少なくとも一方の前記上側及び下側巻込み部の前記第２の面（２６、２７）の高さは、前記第４の面（３０、３１）の高さよりも低く設定されていることを特徴とする包装体。
【請求項２】
前記少なくとも一方の上側及び下側巻込み部は、前記第３の面に前記第１及び第４の面が連結していない両側縁（３６’）に前記第２の面（２６、２７）と前記第４の面（３０、３１）の高さに対応した高さを有する扇形面を接続していることを特徴とする請求項１の包装体。
【発明の詳細な説明】
【０００１】
【発明の属する技術分野】
本発明は小型電気機器等の展示機能を備えた包装体に関し、特に、曲面形状を有するために固定しにくい携帯電話器等の小型電気機器、その他の商品を展示できる機能を有する包装体に関する。
【０００２】
【従来の技術】
従来、透明ケースは、プラスチックシートを組み立てて四角柱状に製作される。
内容物となる製品は色々な形状や重量があり、その形状や重量によって透明ケースの材質や厚みは適宜選定される。
そして、内容物は透明ケースで包装する必要がある。目的は二つあり、一つは売り手側が強調したい特徴を買い手側の見易い位置に置くこと、もう一つは物流品質を保持することを目的とする。
【０００３】
商品の固定は、商品の様々な形状に合わせて様々な緩衝材が用いられるが一般的には組立作業の少ない立体成形品を使用している。ここに立体成形品とは、商品の上端、下端、背面等の少なくとも一部に添わせて商品を安定化し、また運搬・輸送時の緩衝を行うため機能を有する緩衝材である。
立体成形品には、射出成形、ブロー成形、真空成形、プレス成形があり、生産設備、金型費用が比較的安価で、原材料使用量の少ないプレス成形品が用いられていることが多い。
また、透明ケース及び立体成形品には印刷を行うが、印刷は直接印刷又は転写印刷を施す。直接印刷は透明ケースの場合、組立加工の前工程のシート状の際にシルク印刷やオフセット印刷等通常の枚葉印刷が可能である。立体成形品の場合、バッド印刷（タンポ印刷）等が可能である。
図３は緩衝材として立体成形品を利用した従来の展示機能を有する包装体である。図において、四角柱形状に形成されたプラスチック製の透明ケース１の内面上下端に、商品エリア２に収納される商品の上下端に嵌合してこれを支持するための凹部５等の支持手段（上側も同様）を有する上側及び下側立体成形品３、４を嵌合したものである。
【０００４】
【発明が解決しようとする課題】
小型電気機器等の商品は多種多様なものがあり、買い手となる消費者からは目的の商品を早く探し出せることが要求され、必然的に商品自体を分かり易く透明ケース等のパッケージで包装し、商品パッケージへ商品の特徴、意匠を明確に表示する技術が必要とされる。
しかしながら、商品の形状は様々であり、それを固定（保持）するためには前述の立体成形品が必要となる。特に球形や円筒形の商品の場合、単純な嵌合では物流時の商品の回転を抑えることが出来ない。商品が不用意に回転すると商品の特徴が隠れ、消費者に伝わらないばかりでなく、商品と緩衝材の擦れによる不具合も発生させる要因となる。
例えば、図３に示した従来技術では、立体成形品は単に製品の上下に嵌合することによりその位置に挿入されているだけであるので安定性が悪く、輸送中の振動による摩擦等により製品に傷をつけたり、あるいは商品に対する拘束が緩く、商品を回転させて商品の重要部分の意匠を背面側に隠したりする。また立体成形品を接着剤により透明ケースに固定することは製品の取り出しに支障を生じるのでできない。
また透明ケースの原反材のプラスチックシートや立体成形品への直接印刷は、印刷適性（インキの密着性能）が悪く、カラーデザイン又はグラデーションの再現性に乏しく、転写印刷はカラーデザインの再現は可能であるが、印刷加工工程が少なくとも一工程増えると共に副資材も増加し、印刷加工コストを増加させる結果となり、一時的な包装体への利用は困難である。
【０００５】
【課題を解決するための手段】
本発明の透明ケースを展示容器とする商品包装体は、商品の上下端部をそれぞれ支持するための凹部あるいは突起等の手段を設けた上側及び下側立体成形品と、上側及び下側立体成形品を連結固定する一体に形成した紙材からなる結束具とよりなる緩衝材を有することを特徴とする包装体である。
ここに前記結束具は、上側及び下側立体成形品を巻込み支持する上側及び下側巻込み部と、両巻込み部を互いに連結する側面板とを有する。
本発明の原理は次の通りである。
まず透明ケースの上下開口部と商品の間に緩衝材としての立体成形品を配置する。しかし、透明ケースと立体成形品は商品の回転を止めるための嵌合力はなく、商品は回転してしまう。そこで緩衝材である上下の立体成形品を結合させ、透明ケースに嵌合力に依存しない結束具を具備し、結束具は一枚の紙材で構成されており、オフセット印刷等のカラー印刷を施す。結束具は展開上の端部にて各立体成形品を巻込み、中央を面で連結する。更に側面には上下の嵌合を保持することの出来る面を有する。
より詳しく述べると本発明は、商品の上下端部をそれぞれ支持するための手段を設けた上側及び下側立体成形品と、前記上側及び下側立体成形品を巻込み支持する上側及び下側巻込み部及び前記上側及び下側巻込み部を互いに連結する側面板を有する一体に形成した紙材からなる結束具と、前記結束具を収容する透明ケースとからなり、前記結束具の前記各巻き込み部は、前記側面板に連結し前記成型品の底面とほぼ等しい大きさの第１の面（２４、２５）と、該第１の面の他縁端に連結し前記成型品の側面に沿った第２の面（２６、２７）と、該第２の面の他縁端に連結し前記第１の面に等しい大きさであって前記商品を受け入れる開口を有する第３の面（２８、２９）と、該第３の面の他縁端に連結し前記成型品の側面に沿った第４の面（３０、３１）と、前記第４の面の他縁端に設けた差し込みフラップ（３２、３３）とを有し、少なくとも一方の前記上側及び下側巻込み部の前記第２の面（２６、２７）の高さは、前記第４の面（３０、３１）の高さよりも低く設定されていることを特徴とする包装体を提供する。外観を改善するために、好ましくは前記少なくとも一方の上側及び下側巻込み部は、前記第３の面に前記第１及び第４の面が連結していない両側縁（３６’）に前記第２の面（２６、２７）と前記第４の面（３０、３１）の高さに対応した高さを有する扇形面を接続する。
【０００６】
【作用】
結束具はその展開上の端部にて上下の各立体成形品を巻込み、結束具の中で固定される。そして上下の結束具の立体成形品と商品が嵌合する面に所望な孔又は突起を有し、その間に球形、円筒形、その他の形状の商品が配置される。そして結束具の連結面の側面の上下にフラップが配置され立体成形品の位置を安定に固定する。本発明はさらに包装体の外観を改良し、上側立体成形品の正面側の幅を狭くすることで商品を広角に視認でき、結束具の剛性（強度）は、背面側の幅を広くすることで商品の固定を確実に行えるようにする。
【０００７】
【発明の実施の形態】
以下図面を参照して本発明の実施例による包装体を詳しく説明する。
参考例
図１及び図２は参考例による包装体を示し、収納、展示される商品は、下端部が曲面形状を有するために安定性の悪い携帯電話器等の小型電気機器、その他の商品である。
図１は包装体の立断面図であり、包装体は四角柱形状をなしており、透明プラスチック板を折り込んで四角柱形状に形成された透明ケース１１の内部に、商品２０の上下端部をそれぞれ支持し緩衝するため商品２０の上下端部に嵌合する例えば凹部２１、２２（あるいは商品の上下端部が凹部ならば凸部）をそれぞれ設けた上側立体成形品１２及び下側立体成形品１３と、これらの上側立体成形品１２及び下側立体成形品１３を巻込んで支持する上側巻込み部、下側巻込み部１７及びこれらの巻込み部１６、１７を互いに結合する側面板１５よりなる結束具１４とを収納したものである。
【０００８】
ここに、透明ケース１１の製作には、１枚の透明プラスチックシートに商品の特徴や注意書を印刷する。印刷はシルクスクリーン印刷やオフセット印刷にて行う。印刷された透明シートに必要な折り曲げ辺部に沿って筋押し及び抜き加工を施し、糊代部分を接着し、各部を折り込み組み立てて四角柱の透明ケース１１を完成する。
【０００９】
上側及び下側立体成形品１２、１３は、先に説明した任意の方法により製作された深皿状の薄板プラスチック板よりなり、図１〜２の例では商品の上下端が凸部を有することを前提としてこれらの凸部に嵌合する凹部２１、２２を形成している。その他商品及び使用目的に応じて任意の外形を有するもので良い。
【００１０】
次に、結束具１４は両面白色コートボール紙に商品の特徴の説明や、デザインをオフセット印刷にて施し、更に筋押し、抜き加工を施し、所定の形状に折り込んで組み立てる。図２は図１のように組み込む前の結束具１４の組み立て前のブランクの構造を示し、上側巻込み部１６、連結用側面板１５及び下側巻込み部１７は図１の各部に対応する。
加工形状はまず透明ケースの一つの側面の内面の高さ×幅に対応した寸法を有する中央面２３と、その高さ方向の両端に、巻き込む各立体成形品１２、１３の底面とほぼ同じ大きさを有する面２４、２５を連結する。それらの高さ方向の両端に立体成形品の高さ分とほぼ同等の大きさの面２６、２７を連結し、さらに、商品の上端が通る開口３４、３５をそれぞれ有し面２４、２５とほぼ同一の大きさを有する面２８、２９をさらに連結し、最後に差込みフラップ３２、３４をそれぞれ連結する。さらに中央面２３の片側には透明ケース１１の対応する側面の内面の高さ×幅の側面３８を連結し、その上辺及び下辺には差込みフラップ３６、３７をそれぞれ形成する。各面及びフラップの間にはそれぞれ筋押しが施されている。また、中央面２３とその両側の面２４、２５の筋押し部には差込みフラップ３２、３３を差し込むための切り込み３９、４０がそれぞれ形成されている。このブランクは外形及び開口３４、３５の打ち抜き、切り込み及び筋押しにより形成する。
【００１１】
以上構造のブランクの、上側及び下側巻込み部１６、１７の部分にそれぞれ上側立体成形品１２、１３をそれぞれ完全に巻込み、差込みフラップ３２、３３を対応した切り込み３９、４０に差し込むことにより両立体成形品を所定位置に固定する。次に、側面３８を直角に曲げ、次いで差込みフラップ３６、３７を面２４、２５の内側に差し込むことにより組立を完了する。
こうしてできた結束具１４に商品２０を収納して立体成形品１２、１３により商品を保持し、それを透明ケース１１の内部に挿入することにより包装体が完成する。
【００１２】
実施例
図４〜７を参照する。この例は参考例よりも外観を改良し、上側立体成形品の正面側の幅を狭くすることで商品を広角に視認でき、結束具の剛性（強度）は、背面側の幅を広くすることで商品の固定を確実に行えるようにする。実施例１と共通する部分については同一の参照符号を使用し、必要な場合以外は説明を省略する。図４は商品を省略した斜視図であり、透明プラスチック板を折り込んで四角柱形状に形成された透明ケース１１の内部に、商品の上下端部をそれぞれ支持し緩衝するため商品の上端凹部に嵌合する突起４１と商品の下端凸部に嵌合する凹部４２をそれぞれ設けた上側立体成形品１２、下側立体成形品１３と、これらの上側立体成形品１２及び下側立体成形品１３を巻込んで支持する上側巻込み部１６、下側巻込み部１７及びこれらの巻込み部１６、１７を互いに結合する側面板１５よりなる結束具１４とを収納したものである。
上側立体成形品１２は図５に示したように下面が傾斜しており、これを結束具で巻き込んだ場合に商品を入れる展示室が見やすくなっており、また商品を支持するための突起４１を有する。一方下側立体成形品１３は図６に示されているように、隆起周縁４２’を備えた凹部４２を有し、周縁４３は結束具１４から露出することにより紙の縁を補強しまた意匠性に改善している。さらに、上側巻込み部１６、下側巻込み部１７は実施例１とは異なり、立体成形品１２、１３の全外表面を覆うことにより意匠効果を高めている。
【００１３】
図７は結束具１４の展開図であり、図２にほぼ対応した要素を有する。その他、上側巻込み部１６の構成要素である面２８の両側に扇形面４３、４４とそれらに筋押し線を介して連結された差込みフラップ４５、４６を有し、それに対応して面２６は狭くまた面３０は広く形成されている。同様に下側巻込み部１７の構成要素である面２９の両側に長方形面４７、４８とそれらに筋押し線を介して連結された差込みフラップ４９、５０を有し、面２７、３１と面４７、４８は同一形状に形成されている。また開口３４、３５がそれぞれ面２８、２９に形成されており、これらは立体成形品の突起４１及び周縁４３を露出させるに充分な径を有する。中央面２３の自由縁部の上下端部に扇形面４３の最大幅と等しい高さの差込みフラップ５１と、長方形面４７、４８の幅に等しい高さの差込みフラップ５２とを設ける。さらに、差込みフラップ３６は図示のように実施例１のものよりも小さく形成し、それに対応して面２８と扇形面４４との間に切り込み３６’を設ける。
組み立てにおいて、上側立体成形品１２、下側立体成形品１３を実施例１と同様に巻込み、次いで扇形部４３、４４及び長方形面４７、４８を折り込みさらにそれらのフラップ４５、４６、４９、５０を面２４及び面２５の内側にそれぞれ差し込む。さらに、差込みフラップ５１を扇形部４３、４４の内面に差込み、また差込みフラップ５２を長方形面４７、４８の内面に差し込む。差込みフラップ３６はこの例では２４の内面に差し込まないで切り込み３６’に差し込む。これにより上側巻込み部が重みで下るのを防いでいる。
次いで商品を所定位置に配置した後、透明ケース１１に挿入して包装体を完成する。
【００１４】
【発明の効果】
以上本発明の特徴によると、連結、結合された立体成形品を利用し、商品の固定が可能となる。
商品が確実に固定されることにより物流品質が安定し、信頼性の向上が計れ、消費者には売り手側の意図する特徴を伝え易くなる。
また、立体成形品よりも安価に高品位な印刷が可能である。更に透明ケースには困難な高品位印刷が可能である。紙材の結合具を用いることで、高品位印刷を可能にする。
上記印刷品位の向上によりデザイン検討の幅が広がり、自由度が増すことでモノクロデザインになりがちな透明ケースと立体成形品のパッケージから脱却し、消費者へ商品の特徴を確実に伝えると共に、購入意欲を掻き立てる意匠を施すことが出来る。
本発明では好ましくは側面板を中央面及び側面により構成すると、結束具の機械強度が高くなる。
実施例のように立体成形品を完全に巻き込むことにより意匠効果がさらに向上する。さらに包装体の外観を改良し、上側立体成形品の正面側の幅を狭くすることで商品を広角に視認でき、結束具の剛性（強度）は、背面側の幅を広くすることで商品の固定を確実に行えるようにする。
【図面の簡単な説明】
【図１】本発明の第１実施例による包装体の立断面図である。
【図２】本発明の第１実施例による包装体に使用する結束具の展開図である。
【図３】従来例の包装体の斜視図である。
【図４】本発明の第２実施例による包装体の斜視図である。
【図５】本発明の第２実施例に使用される上側立体成形品の斜視図である。
【図６】本発明の第２実施例に使用される下側立体成形品の斜視図である。
【図７】本発明の第２実施例による包装体に使用する結束具の展開図である。
【符号の説明】
１１：透明ケース
１２：上側立体成形品
１３：下側立体成形品
１４：結束具
１５：側面板
１６：上側巻込み部
１７：下側巻込み部
２０：商品
２１、２２：凹部
２３：中央面
２４、２５、２６、２７、２８、２９、３０、３１：面
３２、３３、３６、３７：差込みフラップ
３４、３５：開口
３８：側面
３９、４０：切り込み
４１：突起
４２：凹部
４２’：隆起周縁
４３、４４：扇形面
４５、４６：差込みフラップ
４７、４８：長方形面
４９、５０：差込みフラップ
【図１】
0003770702.tif 000002
【図２】
0003770702.tif 000003
【図３】
0003770702.tif 000004
【図４】
0003770702.tif 000005
【図５】
0003770702.tif 000006
【図６】
0003770702.tif 000007
【図７】
0003770702.tif 000008